(57)【要約】【課題】映像機器と外部機器との間において、実行可能な相互機器制御機能をユーザーが容易に知ることが出来る映像機器を提供する。【解決手段】記憶部１２には、テレビジョン受像機１００で実行可能なＣＥＣ（Consumer Electronics Control）機能が記憶されている。ＨＤＭＩインターフェイス１５にＤＶＤレコーダ２００が接続され、リモコン３００により所定の操作が行われた場合に、記憶部１２に記憶されたＣＥＣ機能のそれぞれがＤＶＤレコーダ２００にて実行可能か否かを問い合わせるためのメッセージを、ＨＤＭＩインターフェイス１５を介してＤＶＤレコーダ２００へ送信する。ＤＶＤレコーダ２００からの返信において実行可能と通知されたＣＥＣ機能を、機能説明とともにＯＳＤ（On Screen Display）により表示部１００ａに表示する。【選択図】図２
2010200088.tif 000002
【特許請求の範囲】
【請求項１】
映像を表示する表示部と、
外部機器との接続を行うためのインターフェイスと、
を備えた映像機器において、
前記インターフェイスに外部機器が接続され、所定の操作が行われた場合に、当該外部機器との間において実行可能な相互機器制御機能を報知する報知手段を設けたことを特徴とする映像機器。
【請求項２】
請求項１に記載の映像機器において、
当該映像機器で実行可能な相互機器制御機能を記憶した記憶部を備え、
前記インターフェイスに外部機器が接続され、所定の操作が行われた場合に、前記記憶部に記憶された相互機器制御機能のそれぞれが前記外部機器にて実行可能か否かを問い合わせるためのメッセージを、前記インターフェイスを介して外部機器へ送信し、
前記報知手段は、前記外部機器からの返信において実行可能と通知された相互機器制御機能を報知することを特徴とする映像機器。
【請求項３】
請求項２に記載の映像機器において、
前記報知手段は、前記外部機器との間で実行可能な相互機器制御機能の機能説明を含む報知データを生成し、当該報知データに基づいて、前記機能説明をＯＳＤ（On Screen Display）により前記表示部に表示することを特徴とする映像機器。
【請求項４】
請求項３に記載の映像機器において、
前記報知手段が生成した報知データを、前記記憶部に保存することを特徴とする映像機器。
【発明の詳細な説明】
【技術分野】
【０００１】
本発明は、相互機器制御機能を有する映像機器に関するものである。
【背景技術】
【０００２】
従来、テレビジョン受像機（以下、「ＴＶ」と記載）やプロジェクタ等の映像機器の映像品質を最大限活かすためのインターフェイスとして、ＤＶＩ（Digital Visual Interface）が知られており、このＤＶＩを基に改良されたインターフェイスであるＨＤＭＩ（High Definition Multimedia Interface）が、近年普及している。
【０００３】
ＤＶＩは、ビデオデータのみを伝送するインターフェイスであるのに対し、ＨＤＭＩは、ビデオデータの他、オーディオデータおよびその他のデータも併せて伝送するインターフェイスであるため、例えば、ＴＶ等の映像機器と、ＤＶＤ（Digital Versatile Disk）プレーヤやＨＤＤ（Hard Disk Drive）レコーダ等の外部機器とを接続する場合、用途に応じたケーブルを複数接続する必要が無い。このため、機器間に接続するケーブルの数を削減することが出来るため、当該接続の際の煩雑さを解消することが出来る。
【０００４】
また、ＨＤＭＩは、ビデオデータやオーディオデータ（以下、「ビデオ／オーディオデータ」と記載）の伝送時において、デジタル信号からアナログ信号への変換やデータ圧縮等の処理を必要としないインターフェイスである。このため、例えば、外部機器から映像機器へビデオ／オーディオデータを伝送する場合、伝送時における当該データの劣化等を抑止することが出来るため、高品質な映像や音声を実現することが出来る。
【０００５】
上述したＨＤＭＩは、規格の変更、つまり、バージョンアップと共に、様々な機能が追加されており、例えば、「バージョン１．２ａ」では、ＣＥＣ（Consumer Electronics Control）と呼ばれる機能が追加されている。詳しくは、ＣＥＣは、ＨＤＭＩ接続時に使用されるケーブルを介してコマンド（制御信号）を双方向に伝送することにより、機器間の連係動作を実現可能とする相互機器制御機能のことである。
【０００６】
このため、ＣＥＣ機能に対応した映像機器と外部機器とを接続した場合、映像機器側から外部機器の制御を行うことが可能となり、また、外部機器側から映像機器の制御を行うことも可能となる。例えば、映像機器に付属のリモートコントロール装置（以下、「リモコン」と記載）を用いて外部機器を制御し、また、外部機器に付属のリモコンを用いて映像機器を制御することが出来る。
【０００７】
尚、ＣＥＣ機能には、機器を製造する製造会社間で統一されている「共通コマンド」により実行される機能と、製造会社毎に開発された「固有コマンド」により実行される機能とがある。「共通コマンド」により実行される機能としては、後述する「Ｏｎｅ  Ｔｏｕｃｈ  Ｐｌａｙ」や「Ｓｙｓｔｅｍ  Ｓｔａｎｄｂｙ」等がある。尚、「固有コマンド」により実行される機能の詳細については、製造会社毎に異なるため、説明を省略する。
【０００８】
詳しくは、「Ｏｎｅ  Ｔｏｕｃｈ  Ｐｌａｙ」とは、映像機器と外部機器とがＨＤＭＩ接続されている場合において、外部機器が再生を開始した時に、映像機器の電源がＯＦＦからＯＮへ切り替わると共に、当該外部機器が接続された入力端子へ入力が切り替わるＣＥＣ機能である。例えば、ユーザーが、ＤＶＤプレーヤやＨＤＤレコーダ等を操作して再生を開始すると、自動的にＴＶの電源がＯＮになり、再生された映像がＴＶに表示される。
【０００９】
「Ｓｙｓｔｅｍ  Ｓｔａｎｄｂｙ」とは、映像機器の電源がＯＮからＯＦＦへ切り替わった場合に、当該映像機器に連動して、外部機器の電源をＯＮからＯＦＦへ切り替えるＣＥＣ機能である。例えば、ユーザーが、ＴＶの電源をＯＦＦにすると、自動的にＤＶＤプレーヤやＨＤＤレコーダ等の電源がＯＦＦになる。
【００１０】
このように、ＣＥＣ機能は、ユーザーにとって非常に便利な機能であるが、当該ＣＥＣ機能に対応した映像機器と外部機器とを接続して各種機能を実行した場合、一部の機能が使用出来ない事例も発生し得る。
【００１１】
詳しくは、「共通コマンド」により実行される機能には、ＣＥＣ機能を有する機器において対応が必須である「必須コマンド」により実行される機能と、対応が任意である「任意コマンド」により実行される機能とがあるため、映像機器で実行可能な「任意コマンド」によるＣＥＣ機能と、外部機器で実行可能な「任意コマンド」によるＣＥＣ機能とが一致しない場合は、当該映像機器と外部機器との間において、当該一致しないＣＥＣ機能を実行出来ない。つまり、「任意コマンド」による所定のＣＥＣ機能について、映像機器または外部機器のいずれか一方が対応していない場合は、当該ＣＥＣ機能を実行出来ない。
【００１２】
「必須コマンド」により実行されるＣＥＣ機能としては、例えば、上述した「Ｏｎｅ  Ｔｏｕｃｈ  Ｐｌａｙ」や「Ｓｙｓｔｅｍ  Ｓｔａｎｄｂｙ」等がある。また、「任意コマンド」により実行されるＣＥＣ機能としては、例えば、「Ｏｎｅ  Ｔｏｕｃｈ  Ｒｅｃｏｒｄ」や「Ｄｅｖｉｃｅ  Ｍｅｎｕ  Ｃｏｎｔｒｏｌ」等がある。
【００１３】
「Ｏｎｅ  Ｔｏｕｃｈ  Ｒｅｃｏｒｄ」とは、映像機器で録画開始の操作が行われた時に、外部機器のチャンネルが、当該映像機器で選局されているチャンネルと同じチャンネルに切り替わると共に、当該チャンネルで放送されている番組の録画が開始されるＣＥＣ機能である。例えば、ユーザーが、ＴＶのフロントパネルや当該ＴＶのリモコン等に設けられた録画ボタンを操作する（押す）と、自動的にＨＤＤレコーダ等のチャンネルがＴＶのチャンネルと同じチャンネルに切り替わり、ＴＶに表示されている番組の録画が開始される。
【００１４】
「Ｄｅｖｉｃｅ  Ｍｅｎｕ  Ｃｏｎｔｒｏｌ」とは、映像機器で外部機器のメニューを参照し、また、当該メニューに基づく制御を映像機器により実行するＣＥＣ機能である。例えば、ユーザーが、ＴＶのフロントパネルや当該ＴＶのリモコン等に設けられたメニューボタンを操作する（押す）と、ＤＶＤプレーヤやＨＤＤレコーダ等のメニューを参照することができ、当該メニューの中から所定のメニューを選択して実行することにより、ＤＶＤプレーヤやＨＤＤレコーダ等は、選択されたメニューに基づいて制御される。
【発明の概要】
【発明が解決しようとする課題】
【００１５】
ここで、上述の問題について、ユーザーの視点から鑑みると、例え、ユーザー自身が使用している映像機器と外部機器との組み合わせが、ＣＥＣ機能の内、一部の機能が実行出来ない組み合わせであるにしても、映像機器および／または外部機器の故障により当該機能が実行出来ないのか、または、もともとサポート外であるために当該機能が実行出来ないのかは、ユーザー自身知る由も無い。
【００１６】
尚、後掲の特許文献１には、コントロールパネルのボタンの意味や被制御側の電子機器の機能の実施方法、取扱い方法等を理解していなくても、対話をするが如く質問、選択肢の選択を繰り返す事で機能が実施され、面倒な取扱説明書を読むという作業も必要としない機器の制御方法が記載されている。特許文献２には、両手を使った複雑なスイッチ操作を不要とし、操作時間が短く、操作ミスが起こりにくく、しかも、ユーザーの記憶に依存しなくても済むような複数ＶＴＲ（Video Tape Recorder）操作インターフェイスが記載されている。特許文献３には、入力切換メニューを表示するだけでそれぞれの接続機器の状態を一覧表示することにより、煩雑な操作を必要とすることなく接続された機器状態を確認することが出来る表示装置が記載されている。しかしながら、特許文献１〜３には、前述の問題を解決する手段については、何ら開示されていない。
【００１７】
本発明は、上述した問題点に鑑み、映像機器と外部機器との間において、実行可能な相互機器制御機能をユーザーが容易に知ることが出来る映像機器を提供することを目的としている。
【課題を解決するための手段】
【００１８】
本発明に係る映像機器は、映像を表示する表示部と、外部機器との接続を行うためのインターフェイスとを備えており、インターフェイスに外部機器が接続され、所定の操作が行われた場合に、当該外部機器との間において実行可能な相互機器制御機能を報知する報知手段を設けている。
【００１９】
また、本発明の映像機器において、当該映像機器で実行可能な相互機器制御機能を記憶した記憶部を備えてもよく、インターフェイスに外部機器が接続され、所定の操作が行われた場合に、記憶部に記憶された相互機器制御機能のそれぞれが外部機器にて実行可能か否かを問い合わせるためのメッセージを、インターフェイスを介して外部機器へ送信し、報知手段は、外部機器からの返信において実行可能と通知された相互機器制御機能を報知してもよい。
【００２０】
このようにすることで、映像機器と外部機器との間において実行可能な相互機器制御機能がユーザーに報知されるため、所定の相互機器制御機能が実行されない場合に、元来対応していない機能であることに起因するのか、それとも、映像機器および／または外部機器の故障等に起因するのかをユーザーが容易に知ることが出来る。
【００２１】
また、本発明の映像機器において、報知手段は、外部機器との間で実行可能な相互機器制御機能の機能説明を含む報知データを生成し、当該報知データに基づいて、機能説明をＯＳＤ（On Screen Display）により表示部に表示してもよい。
【００２２】
このようにすることで、ユーザーは、映像機器と外部機器との間において実行可能な相互機器制御機能をより詳しく知ることが出来る。
【００２３】
また、本発明の映像機器において、報知手段が生成した報知データを、記憶部に保存してもよい。
【００２４】
このようにすることで、映像機器と外部機器との間において実行可能な相互機器制御機能を繰り返し検証する必要が無いため、当該相互機器制御に係る処理の高速化を図ることが可能となる。
【発明の効果】
【００２５】
本発明によれば、映像機器に外部機器が接続され、所定の操作が行われた場合に、映像機器と外部機器との間において実行可能な相互機器制御機能を報知するようにしたことで、当該相互機器制御機能をユーザーが容易に知ることが出来る。
【図面の簡単な説明】
【００２６】
【図１】本発明の映像機器を用いたシステムの一例を示す図である。
【図２】ＴＶとＤＶＤレコーダの構成を示したブロック図である。
【図３】実行可能なＣＥＣ機能を調べる場合の所定の動作を示したフローチャートである。
【図４】ＴＶ側で実行可能なＣＥＣ機能に係る各種データを示した図である。
【図５】ＤＶＤレコーダ側で実行可能なＣＥＣ機能に係る各種データを示した図である。
【図６】報知データの一例を示した図である。
【図７】表示部におけるＯＳＤ表示の一例を示した図である。
【図８】表示部におけるＯＳＤ表示の一例を示した図である。
【図９】表示部におけるＯＳＤ表示の一例を示した図である。
【発明を実施するための形態】
【００２７】
以下、本発明の実施形態につき、図面を参照しながら説明する。以下の図では、  同一部分または対応する部分に同一符号を付してある。
【００２８】
図１は、本発明の映像機器を用いたシステムの一例を示す図である。図中において、１００は、本発明の実施形態であるテレビジョン受像機（以下、「ＴＶ」と記載）であり、１００ａは、ＴＶ１００の表示部である。ＴＶ１００は、例えば、液晶テレビであり、この場合、表示部１００ａは、ＬＣＤ（Liquid Crystal Display）から構成される。
【００２９】
２００は、本発明における外部機器の一実施形態であるＤＶＤレコーダであり、当該ＤＶＤレコーダ２００は、ＨＤＭＩに対応したケーブルＣを介して、ＴＶ１００に接続される。３００は、ＴＶ１００を操作するためのリモコンである。
【００３０】
図２は、ＴＶ１００とＤＶＤレコーダ２００の構成を示したブロック図である。図中のＴＶ１００において、制御部１１は、例えば、ＣＰＵ（Central Processing Unit）等から構成され、当該ＴＶ１００の各部を制御する。記憶部１２は、例えば、フラッシュＲＯＭ（Read Only Memory）から構成され、制御部１１で実行される制御プログラム等が記憶されている。また、記憶部１２には、図４に示すテーブル５１が予め記憶されている。
【００３１】
詳しくは、テーブル５１は、ＴＶ１００にて実行可能なＣＥＣ（Consumer Electronics Control）機能が示された項目５２と、各ＣＥＣ機能を、例えば、表示部１００ａ（図１）に表示する場合の表示形態が示された項目５３と、各ＣＥＣ機能の詳細な機能説明が示された項目５４と、各ＣＥＣ機能を実行する際の実行コマンドが示された項目５５とから構成されている。ここで、ＣＥＣ機能は、本発明における相互機器制御機能の一例である。
【００３２】
受信部１３は、リモコン３００（図１）から送信される操作コマンドを受信する。ＯＳＤ処理部１４は、制御部１１の制御の下、表示部１００ａにＯＳＤ表示を行う。
【００３３】
ＨＤＭＩインターフェイス１５は、ケーブルＣを用いてＨＤＭＩ接続を行うためのインターフェイスである。尚、ＨＤＭＩインターフェイスは、以下において、「ＨＤＭＩ・Ｉ／Ｆ」と記載する。また、ＨＤＭＩ・Ｉ／Ｆ１５は、本発明におけるインターフェイスの一実施形態である。一時記憶部１６は、例えば、ＲＡＭ（Random Access Memory）から構成され、制御部１１で処理される各種データを一時的に記憶する。
【００３４】
放送信号処理部１７は、例えば、チューナやデマルチプレクサ等から構成され、アンテナＮを介してテレビ放送の放送信号を受信した後、当該放送信号に対して映像処理や音声処理等の所定の処理を行う。映像出力部１８は、放送信号処理部１７から出力される映像信号と、ＯＳＤ処理部１４から出力される画像や文字等の各種データを合成して、表示部１００ａに出力する。音声出力部１９は、放送信号処理部１７から出力される音声信号をスピーカ（図示省略）に出力する。
【００３５】
ここで、制御部１１、ＯＳＤ処理部１４、映像出力部１８、表示部１００ａは、本発明における報知手段の一実施形態である。
【００３６】
ＤＶＤレコーダ２００において、制御部２１は、例えば、ＣＰＵ等から構成され、当該ＤＶＤレコーダ２００の各部を制御する。記憶部２２は、例えば、フラッシュＲＯＭから構成され、制御部２１で実行される制御プログラム等が記憶されている。また、記憶部２２には、図５に示すテーブル６１が予め記憶されている。
【００３７】
詳しくは、テーブル６１は、ＤＶＤレコーダ２００にて実行可能なＣＥＣ機能が示された項目６２と、各ＣＥＣ機能を、例えば、フロントパネルに設けられたディスプレイ（図示省略）に表示する場合の表示形態が示された項目６３と、各ＣＥＣ機能の詳細な機能説明が示された項目６４と、各ＣＥＣ機能を実行する際の実行コマンドが示された項目６５とから構成されている。
【００３８】
ＨＤＭＩ・Ｉ／Ｆ２３は、ＨＤＭＩ・Ｉ／Ｆ１５と同様、ケーブルＣを用いてＨＤＭＩ接続を行うためのインターフェイスである。記録再生処理部２４は、ＤＶＤ等の記録媒体に対して、データの記録／再生を行う。
【００３９】
以上のような構成からなるＴＶ１００とＤＶＤレコーダ２００との間において実行可能なＣＥＣの機能を調べる場合は、図３のフローチャートで示される動作が実行される。
【００４０】
詳しくは、図３のステップＳ１では、上述のＣＥＣ機能を調べるための操作コマンドが、ユーザーの操作によりリモコン３００から送信され、当該操作コマンドが受信部１３にて受信される。
【００４１】
ステップＳ２では、ステップＳ１で受信した操作コマンドに基づいて、制御部１１の制御の下、ＯＳＤ処理部１４により、例えば、図７に示すようなＯＳＤ３１が表示部１００ａに表示される。尚、ＯＳＤ３１では、ＴＶ１００における各種機能の設定を行うことが出来る。
【００４２】
ステップＳ３では、ユーザーにより、ＯＳＤ３１に表示されている各項目の中から項目Ｘ、つまり、「連動動作確認」が選択および実行される。そして、ステップＳ４では、ステップＳ３での選択／実行処理に基づいて、ＴＶ１００とＤＶＤレコーダ２００との間において実行可能なＣＥＣ機能の検証が行われる。尚、当該検証中において、表示部１００ａには、例えば、図８に示すようなＯＳＤ３２が表示される。
【００４３】
ここで、ステップＳ４での検証処理に関して詳述する。ＴＶ１００側の制御部１１は、ステップＳ３での「連動動作確認」の選択／実行処理に基づいて、記憶部１２に予め記憶されているテーブル５１（図４）から項目５２に対応する項目５５を逐次読み出す。つまり、ＴＶ１００にて実行可能なＣＥＣ機能に対応した実行コマンドを読み出す。
【００４４】
本実施形態においては、例えば、「Ｏｎｅ  Ｔｏｕｃｈ  Ｐｌａｙ」の機能（項目５２）に対応した実行コマンド（項目５５）が読み出された後に、「Ｓｙｓｔｅｍ  Ｓｔａｎｄｂｙ」の機能に対応した実行コマンド、「Ｄｅｖｉｃｅ  Ｍｅｎｕ  Ｃｏｎｔｒｏｌ」の機能に対応した実行コマンドの順に順次読み出される。
【００４５】
続いて、制御部１１は、読み出した実行コマンドがＤＶＤレコーダ２００で実行可能か否かの検証を行うべく、当該実行コマンドを、ケーブルＣを介して、ＨＤＭＩ・Ｉ／Ｆ１５からＤＶＤレコーダ２００側のＨＤＭＩ・Ｉ／Ｆ２３に送信する。この実行コマンドは、本発明におけるメッセージの一例である。すなわち、ＴＶ１００は、実行コマンドをＤＶＤレコーダ２００へ送信することにより、記憶部１２に記憶されているＣＥＣ機能のそれぞれがＤＶＤレコーダ２００にて実行可能か否かを問い合わせる。
【００４６】
ＤＶＤレコーダ２００側の制御部２１は、ＨＤＭＩ・Ｉ／Ｆ２３にて受信した実行コマンドに基づいて、当該実行コマンドがＤＶＤレコーダ２００にて実行可能なコマンドか否かを検証する。詳しくは、制御部２１は、ＨＤＭＩ・Ｉ／Ｆ２３にて実行コマンドを受信したことに基づいて、記憶部２２に予め記憶されているテーブル６１（図５）から項目６２に対応する項目６５を逐次読み出す。つまり、ＤＶＤレコーダ２００にて実行可能なＣＥＣ機能に対応した実行コマンドを逐次読み出す。
【００４７】
本実施形態においては、例えば、「Ｏｎｅ  Ｔｏｕｃｈ  Ｐｌａｙ」の機能（項目６２）に対応した実行コマンド（項目６５）が読み出された後に、「Ｓｙｓｔｅｍ  Ｓｔａｎｄｂｙ」の機能に対応した実行コマンドが読み出される。
【００４８】
続いて、制御部２１は、記憶部２２から読み出した実行コマンドと、ＨＤＭＩ・Ｉ／Ｆ２３にて受信した実行コマンドとが一致するか否かを検証し、当該検証の結果、一致する場合は、ＨＤＭＩ・Ｉ／Ｆ２３にて受信した実行コマンド、つまり、ＴＶ１００側のＨＤＭＩ・Ｉ／Ｆ１５から送信された実行コマンドを、ケーブルＣを介して、ＨＤＭＩ・Ｉ／Ｆ２３からＨＤＭＩ・Ｉ／Ｆ１５に送信（返信）する。これにより、ＤＶＤレコーダ２００において実行可能なＣＥＣ機能が、ＴＶ１００側に通知される。一方、実行コマンドが一致しない場合は、予め用意されている不一致を示す所定の信号を、ＨＤＭＩ・Ｉ／Ｆ１５に送信する。尚、ＨＤＭＩ・Ｉ／Ｆ１５に対して、上述の実行コマンドまたは所定の信号を送信する場合、送信元を特定するためのＩＤ（Identification）情報、例えば、ＤＶＤレコーダ２００の型番等も併せて送信してもよい。
【００４９】
本実施形態においては、「Ｏｎｅ  Ｔｏｕｃｈ  Ｐｌａｙ」の機能に対応した実行コマンド、および、「Ｓｙｓｔｅｍ  Ｓｔａｎｄｂｙ」の機能に対応した実行コマンドが、ＴＶ１００とＤＶＤレコーダ２００とでそれぞれ一致する検証結果となるが、「Ｄｅｖｉｃｅ  Ｍｅｎｕ  Ｃｏｎｔｒｏｌ」の機能に対応した実行コマンドは、テーブル６１に含まれていないため、一致しない検証結果となる。
【００５０】
ステップＳ５では、ＨＤＭＩ・Ｉ／Ｆ２３から送信された実行コマンド、つまり、ＴＶ１００とＤＶＤレコーダ２００との間で実行可能なＣＥＣ機能のコマンドが、ケーブルＣを介して、ＨＤＭＩ・Ｉ／Ｆ１５にて受信され、その後、一時記憶部１６に記憶される。
【００５１】
ステップＳ６では、一時記憶部１６に記憶されている実行コマンドが、制御部１１により逐次読み出される。制御部１１は、読み出した実行コマンドを基に、テーブル５１の項目５５を検証し、当該実行コマンドに対応する項目５５に基づいて、当該項目５５に対応する項目５３と項目５４を読み出す。
【００５２】
例えば、一時記憶部１６に記憶されている実行コマンドが、「Ｏｎｅ  Ｔｏｕｃｈ  Ｐｌａｙ」の機能に対応した実行コマンドである場合、制御部１１は、この実行コマンドを基に、当該実行コマンドにより実行されるＣＥＣ機能の表示形態（項目５３）と、当該ＣＥＣ機能の詳細な機能説明（項目５４）を読み出す。
【００５３】
ステップＳ７では、制御部１１は、読み出した項目５３と項目５４に基づいて、ＴＶ１００とＤＶＤレコーダ２００との間において実行可能なＣＥＣ機能をユーザーに報知するための報知データを生成する。尚、当該報知データは、例えば、図６に示されるテーブル７１から構成されている。このテーブル７１は、例えば、上述したＤＶＤ２００のＩＤ情報を付加した後、記憶部１２に保存しておいてもよい。
【００５４】
ステップＳ８では、制御部１１の制御の下、ＯＳＤ処理部１４にて、テーブル７１に基づくＯＳＤが生成され、生成されたＯＳＤは、映像出力部１８を介して、表示部１００ａに表示される。表示部１００ａには、例えば、図９に示すようなＯＳＤ３３が表示される。
【００５５】
このように、上述した実施形態においては、機器間で実行可能なＣＥＣ機能を調べる場合、まず、ＴＶ１００側において、記憶部１２に予め記憶されているテーブル５１から項目５２に対応する項目５５を逐次読み出した後、項目５５に対応する実行コマンドをＤＶＤレコーダ２００に逐次送信する。次に、ＤＶＤレコーダ２００側において、記憶部２２に予め記憶されているテーブル６１から項目６２に対応する項目６５を逐次読み出した後、項目６５に対応する実行コマンドと受信した実行コマンドとが一致する場合は、受信した実行コマンドをＴＶ１００に送信（返信）する。そして、ＴＶ１００側において、ＤＶＤレコーダ２００から返信された実行コマンドを基に、テーブル５１の項目５５を検証し、当該実行コマンドに対応する項目５５に基づいて、当該項目５５に対応する項目５３と項目５４を読み出し、これらに基づいて、ＴＶ１００とＤＶＤレコーダ２００との間において実行可能なＣＥＣ機能をユーザーに報知するための報知データを生成し、当該報知データに基づくＯＳＤ３３を表示部１００ａに表示する。これにより、ＴＶ１００とＤＶＤレコーダ２００との間において実行可能なＣＥＣ機能が表示部１００ａに表示されるので、ユーザーはどのＣＥＣ機能が有効なのかを容易に知ることが出来る。
【００５６】
また、表示部１００ａには、ＴＶ１００とＤＶＤレコーダ２００との間において実行可能なＣＥＣ機能の項目だけでなく、各ＣＥＣ機能により実行される動作の説明も表示されるため、ユーザーは、映像機器と外部機器との間において実行可能なＣＥＣ機能をより詳しく知ることが出来る。
【００５７】
さらに、報知データは、例えば、テーブル７１から構成されているため、このテーブル７１に上述したＤＶＤ２００のＩＤ情報を付加して記憶部１２に保存しておけば、次回のＣＥＣ機能の検証時において、当該検証前に記憶部１２を参照して、該当する報知データが有るか否かを確認することが出来る。そして、該当する報知データがある場合は、再度、ＴＶ１００とＤＶＤレコーダ２００との間において実行可能なＣＥＣ機能を検証する必要が無いため、当該ＣＥＣに係る処理の高速化を図ることが可能となる。
【００５８】
本発明では、以上述べた以外にも種々の実施形態を採用することができる。例えば、上記実施形態では、インターフェイスとして、ＨＤＭＩ・Ｉ／Ｆ１５，２３を例に挙げ、当該ＨＤＭＩ・Ｉ／Ｆ１５，２３により接続されたＴＶ１００とＤＶＤレコーダ２００との間において、ＨＤＭＩ規格の１つの機能であるＣＥＣ機能を実行したが、これに限られず、相互機器制御機能が実行可能な他のインターフェイスを用いて、当該相互機器制御機能を実行してもよい。つまり、相互機器制御機能が実行可能なインターフェイスであれば、本発明を適用することが可能である。
【００５９】
また、上記実施形態においては、本発明における映像機器としてＴＶ１００を例に挙げたが、これに限られず、プロジェクタ等に本発明を適用してもよい。
【００６０】
また、上記実施形態においては、外部機器をＤＶＤレコーダとしたが、これに限られず、ＳＴＢ（Set Top Box）等を用いてもよい。
【００６１】
また、上記実施形態においては、ＴＶ１００を、例えば、液晶テレビとし、表示部１００ａをＬＣＤとしたが、これに限られず、ＴＶ１００は、プラズマテレビであってもよい。尚、その場合、表示部１００ａは、ＰＤＰ（Plasma Display Panel）により構成される。
【００６２】
さらに、上記実施形態においては、テーブル７１（図６）に基づいて、ＯＳＤ処理部１４にてＯＳＤ３３（図９）を生成し、表示部１００ａに表示したが、これに限られず、テーブル７１に基づいて音声データを生成し、音声出力部１９を介してスピーカ（図示省略）から音声で報知してもよい。
【符号の説明】
【００６３】
１１，２１    制御部
１２，２２    記憶部
１３          受信部
１４          ＯＳＤ処理部
１５，２３    ＨＤＭＩインターフェイス
１６          一時記憶部
１８          映像出力部
１００        テレビジョン受像機
１００ａ    表示部
２００      ＤＶＤレコーダ
３００      リモートコントロール装置
５１，６１，７１  テーブル
【先行技術文献】
【特許文献】
【００６４】
【特許文献１】特開２００８−８５７０３号公報
【特許文献２】特開２００１−１８６５８０号公報
【特許文献３】特開平７−７５０２９号公報
【図１】
2010200088.tif 000003
【図２】
2010200088.tif 000004
【図３】
2010200088.tif 000005
【図４】
2010200088.tif 000006
【図５】
2010200088.tif 000007
【図６】
2010200088.tif 000008
【図７】
2010200088.tif 000009
【図８】
2010200088.tif 000010
【図９】
2010200088.tif 000011